(57)【要約】【課題】電線の保持構造を小型化する。【解決手段】電線１０の保持構造１１は、電線１０と、電線１０が貫通された電線貫通孔３５を有するゴム栓３４と、ゴム栓３４に外嵌されたハウジング２２と、ハウジング２２を覆う電線カバー１５と、を備え、電線カバー１５は開口部２４を有し、ハウジング２２は開口部２４に対応する形状を有して開口部２４を塞ぐ蓋部３３を有する。【選択図】図６
2019161932.tif 000002
【特許請求の範囲】
【請求項１】
電線と、
電線が貫通された電線貫通孔を有するゴム栓と、
前記ゴム栓に外嵌されたハウジングと、
前記ハウジングに取り付けられて前記電線を覆う電線カバーと、を備え、
前記電線カバーは開口部を有し、前記ハウジングは前記開口部に対応する形状を有して前記開口部を塞ぐ蓋部を有する、電線の保持構造。
【請求項２】
前記蓋部の厚さ寸法Ｔ１は、前記ハウジングを構成する壁部の厚さ寸法Ｔ２、及び前記カバーを構成する壁部の厚さ寸法Ｔ３に対して、下記の式（１）を満たす、請求項１に記載の電線の保持構造。
Ｔ２  ≦  Ｔ１  ＜  Ｔ２＋Ｔ３                    （１）
【請求項３】
前記カバーの前記開口部の開口縁部には、外方に突出するフランジが設けられており、
前記ハウジングの前記蓋部には、前記フランジに向けて突出すると共に前記フランジに当接する当接リブが設けられている、請求項１または請求項２に記載の電線の保持構造。
【請求項４】
前記カバーの前記開口部の前記開口縁部には、前記フランジよりも内側の領域に、前記ハウジングの外面と前記当接リブとの間に形成された空間に嵌入する嵌入部が設けられている、請求項３に記載の電線の保持構造。
【請求項５】
前記嵌入部は、前記ハウジングの外面と対向する領域に、前記ハウジングの外面の形状に倣った倣い面を有する、請求項４に記載の電線の保持構造。
【発明の詳細な説明】
【技術分野】
【０００１】
本明細書に開示された技術は、電線の保持構造に関する。
【背景技術】
【０００２】
従来、防水された電線の保持構造に係る技術として、特開２０１７−１１８６２４号公報に記載のものが知られている。この技術によれば、電線の周囲にゴム栓が外嵌されており、このゴム栓にはキャップが外嵌されている。これにより、電線とキャップとの間が液密にシールされる。キャップにはホルダが外嵌されている。このホルダによって、電線とゴム栓とキャップとの相対的な位置が保持されることより、電線のシール性が向上するようになっている。
【先行技術文献】
【特許文献】
【０００３】
【特許文献１】特開２０１７−１１８６２４号公報
【発明の概要】
【発明が解決しようとする課題】
【０００４】
しかしながら上記の構成によると、キャップにホルダが外嵌されているので、キャップを構成する壁部の厚さ方向について、キャップの壁部とホルダの壁部とが重なっている。このため、電線の保持構造が全体として大型化するという問題があった。
【０００５】
本明細書に開示された技術は上記のような事情に基づいて完成されたものであって、小型化された電線の保持構造を提供することを目的とする。
【課題を解決するための手段】
【０００６】
本明細書に開示された技術は、電線の保持構造であって、電線と、電線が貫通された電線貫通孔を有するゴム栓と、前記ゴム栓に外嵌されたハウジングと、前記ハウジングに取り付けられて前記電線を覆う電線カバーと、を備え、前記電線カバーは開口部を有し、前記ハウジングは前記開口部に対応する形状を有して前記開口部を塞ぐ蓋部を有する。
【０００７】
上記の構成によれば、ハウジングの蓋部が電線カバーの開口部を塞いている領域においては、ハウジングと電線カバーとが重なっていないので、電線の保持構造を全体として小型化することができる。
【０００８】
本明細書に開示された技術の実施態様としては以下の態様が好ましい。
【０００９】
前記蓋部の厚さ寸法Ｔ１は、前記ハウジングを構成する壁部の厚さ寸法Ｔ２、及び前記カバーを構成する壁部の厚さ寸法Ｔ３に対して、下記の式（１）を満たすことが好ましい。
Ｔ２  ≦  Ｔ１  ＜  Ｔ２＋Ｔ３                    （１）
【００１０】
上記の構成によれば、蓋部の厚さ寸法Ｔ１は、ハウジングを構成する壁部の厚さ寸法Ｔ２と、カバーを構成する壁部の厚さ寸法Ｔ３との和よりも小さく設定されているので、電線の保持構造を確実に小型化することができる。
【００１１】
前記カバーの前記開口部の開口縁部には、外方に突出するフランジが設けられており、前記ハウジングの前記蓋部には、前記フランジに向けて突出すると共に前記フランジに当接する当接リブが設けられていることが好ましい。
【００１２】
蓋部のリブがカバーのフランジに当接することにより、カバーの開口部からカバー内に異物が侵入することを抑制することができる。
【００１３】
前記カバーの前記開口部の前記開口縁部には、前記フランジよりも内側の領域に、前記ハウジングの外面と前記当接リブとの間に形成された空間に嵌入する嵌入部が設けられていることが好ましい。
【００１４】
上記の構成によれば、当接リブと嵌入部との隙間、及び、嵌入部とハウジングの外面との隙間によって、いわゆるラビリンス構造が形成される。これにより、カバー内に異物が侵入することを更に抑制することができる。
【００１５】
前記嵌入部は、前記ハウジングの外面と対向する領域に、前記ハウジングの外面の形状に倣った倣い面を有することが好ましい。
【００１６】
上記の構成によれば、ハウジングの外面と、嵌入部の倣い面との隙間を小さくすることができるので、ハウジングと嵌入部との隙間から異物が侵入することを一層抑制することができる。
【発明の効果】
【００１７】
本明細書に開示された技術によれば、電線の保持構造を小型化することができる。
【図面の簡単な説明】
【００１８】
【図１】実施形態１に係るコネクタを示す斜視図
【図２】第１電線カバーと、第２電線カバーと、ハウジングと、ゴム栓と、電線と、を示す分解斜視図
【図３】第１電線カバーと第２電線カバーとの係止構造を示す一部拡大正面図
【図４】電線カバーから導出される電線を示す左側面図
【図５】ハウジングを示す斜視図
【図６】電線の保持構造を示す、図３におけるＶＩ−ＶＩ線断面図
【図７】電線のシール構造を示す、一部拡大断面図
【図８】蓋部が開口部を塞いだ状態を示す一部拡大背面図
【発明を実施するための形態】
【００１９】
＜実施形態１＞
本明細書に開示された電線１０の保持構造１１をコネクタ１２に適用した実施形態１を、図１から図８を参照しつつ説明する。本実施形態に係るコネクタ１２は、例えば車両のタイヤハウス内等、異物が多く存在する環境下において使用される。以下の説明においては、Ｚ方向を上方とし、Ｙ方向を前方とし、Ｘ方向を左方として説明する。なお、複数の同一部材については、一部の部材にのみ符号を付し、他の部材については符号を省略する場合がある。
【００２０】
コネクタ１２
図１に示すように、コネクタ１２はブロック状をなしており、絶縁性の合成樹脂を射出成型することにより形成される。コネクタ１２は、複数の端子（図示せず）をそれぞれ収容する複数のキャビティ１３を有する。キャビティ１３は、コネクタ１２の前方に開口している。
【００２１】
コネクタ１２の後端部からは複数（本実施形態では７本）の電線１０が導出されている。コネクタ１２と各電線１０とは、図示しない防水ゴム栓等の公知の手法により液密にシールされている。それぞれの電線１０の端部には端子が接続されている。端子は、キャビティ１３内に、抜け止めされた状態で収容されている。電線１０は、比較的に径大な２本の大径電線１０Ａと、大径電線１０Ａよりも小径な５本の小径電線１０Ｂと、を含む。
【００２２】
電線カバー１５
コネクタ１２の後端部には、コネクタ１２の後方に導出された電線１０を覆う電線カバー１５が取り付けられている。図２に示すように、電線カバー１５は、左右方向に細長く延びた形状をなしている。電線カバー１５は絶縁性の合成樹脂を射出成型することにより形成される。電線カバー１５は、上方に開口する第１電線カバー１５Ａと、第１電線カバー１５Ａに上方から組み付けられる第２電線カバー１５Ｂと、を備える。
【００２３】
第１電線カバー１５Ａ
第１電線カバー１５Ａは、底壁と、底壁の側縁から上方に立ち上がる側壁と、を有する。側壁の外面には、複数のロック突部１６が外方に突出して設けられている。
【００２４】
底壁の右端部寄りの位置には、底壁から上方に立ち上がる複数（本実施形態では３個）の保持リブ１７が前後方向に延びて設けられている。３個の保持リブ１７の間に形成された隙間に、２本の大径電線１０Ａが保持されるようになっている。
【００２５】
第１電線カバー１５Ａの側壁のうち、前側に設けられた前壁の右半分は開口されており、コネクタ１２が取り付けられるようになっている。
【００２６】
第１電線カバー１５Ａの左端部寄りの部分は、前後方向に幅広に形成された第１分岐部１８とされる。第１分岐部１８においては、２本の大径電線１０Ａ、及び３本の小径電線１０Ｂと、２本の小径電線１０Ｂとが分岐された状態で配されている。２本の大径電線１０Ａ、及び３本の小径電線１０Ｂは、第１分岐部１８の後部に配され、２本の小径電線１０Ｂは第１分岐部１８の前部に配されている。
【００２７】
第１分岐部１８の側壁のうち左端部に位置する左側壁２３Ａは、左右方向について厚肉に形成されている。左側壁２３Ａの上面のうち後側には、２本の大径電線１０Ａ、及び３本の小径電線１０Ｂが導出される幹線導出凹部１９Ａが下方に凹んで形成されている。左側壁２３Ａの上面のうち後側には、２本の小径電線１０Ｂが導出される支線導出凹部２０Ａが下方に凹んで形成されている。
【００２８】
第１分岐部１８の底壁のうち、右端部寄りの位置には、上方に突出すると共に前後方向に延びる挟持リブ２１が形成されている。挟持リブ２１と、第１分岐部１８の左側壁２３Ａとの間に空間に、後述するハウジング２２が挟持されるようになっている。
【００２９】
第１分岐部１８の後壁には、後方に開口する第１開口部２４Ａが形成されている。
【００３０】
第２電線カバー１５Ｂ
第２電線カバー１５Ｂは、上壁と、上壁の側縁から下方に延びる側壁と、を有する。側壁の外面には、第１電線カバー１５Ａのロック突部１６に対応する位置に、複数のロック受け部２５が形成されている。ロック受け部２５は概ね門形状をなしている。ロック突部１６とロック受け部２５とが弾性的に係合することにより、第１電線カバー１５Ａと第２電線カバー１５Ｂとが一体に組み付けられるようになっている（図３参照）。
【００３１】
図２に示すように、第２電線カバー１５Ｂの上壁の右端部寄りの位置には、上壁から下方に延びる複数（本実施形態では２個）のリブ２６が前後方向に延びて設けられている。このリブ２６は、第１電線カバー１５Ａに形成された３個の保持リブ１７の間に挿入されるようになっている。このリブ２６により、保持リブ１７の間に保持された２本の大径電線１０Ａが、更に上方から保持されるようになっている。
【００３２】
第２電線カバー１５Ｂの側壁のうち、前側に設けられた前壁の右半分は開口されており、コネクタ１２が取り付けられるようになっている。
【００３３】
第２電線カバー１５Ｂの左端部寄りの部分は、前後方向に幅広に形成された第２分岐部２７とされる。第２分岐部２７においては、２本の大径電線１０Ａ、及び３本の小径電線１０Ｂと、２本の小径電線１０Ｂとが分岐された状態で配されている。２本の大径電線１０Ａ、及び３本の小径電線１０Ｂは、第２分岐部２７の後部に配され、２本の小径電線１０Ｂは第２分岐部２７の前部に配されている。
【００３４】
第２分岐部２７の側壁のうち左端部に位置する左側壁２３Ｂは、左右方向について厚肉に形成されている。左側壁２３Ｂの上面のうち後側には、２本の大径電線１０Ａ、及び３本の小径電線１０Ｂが導出される幹線導出凹部１９Ａが上方に凹んで形成されている。左側壁２３Ｂの上面のうち後側には、２本の小径電線１０Ｂが導出される支線導出凹部２０Ｂが上方に凹んで形成されている。
【００３５】
図４に示すように、第１電線カバー１５Ａと、第２電線カバー１５Ｂとが一体に組み付けられた状態で、第１電線カバー１５Ａの支線導出凹部２０Ａと、第２電線カバー１５Ｂの支線導出凹部２０Ｂとにより、支線導出口２８が形成され、この支線導出口２８から２本の小径電線１０Ｂが左方に導出されている。
【００３６】
また、第１電線カバー１５Ａと、第２電線カバー１５Ｂとが一体に組み付けられた状態で、第１電線カバー１５Ａの幹線導出凹部１９Ａと、第２電線カバー１５Ｂの幹線導出凹部１９Ｂとにより、幹線導出口２９が形成され、この幹線導出口２９から、２本の大径電線１０Ａと１本の小径電線１０Ｂとが、合成樹脂製のシース３０に覆われた状態で導出されている。
【００３７】
第２分岐部２７の後壁には、後方に開口する第２開口部２４Ｂが形成されている。
【００３８】
ハウジング２２
ハウジング２２は合成樹脂を射出成型することにより形成される。図５に示すように、ハウジング２２は、左右方向に延びる円筒形状をなす円筒部３１を有する。円筒部３１の後端部には、下方に延びる第１当接リブ３２Ａ（当接リブの一例）と、上方に延びる第２当接リブ３２Ｂ（当接リブの一例）とが設けられている。第１当接リブ３２Ａの後面、第２当接リブ３２Ｂの後面、及び円筒部３１の後面は、面一に形成されており、蓋部３３とされる。蓋部３３は側方から見て長方形状をなしている。
【００３９】
ゴム栓３４
図７に示すように、円筒部３１の内部には、ゴム栓３４が内嵌されている。ゴム栓３４は、大径電線１０Ａ及び小径電線１０Ｂが個別に貫通される複数の電線貫通孔３５を備えた電線貫通部３６と、電線貫通部３６の左方に延びると共にシース３０に外嵌されるシース外嵌部３７と、を備える。
【００４０】
ゴム栓３４の外周面には複数の外周リップ３８が、ゴム栓３４の径方向について突出すると共に、ゴム栓３４の周方向に円環状に延びて形成されている。この外周リップ３８がハウジング２２の円筒部３１の内壁に密着することにより、ゴム栓３４とハウジング２２とが液密にシールされるようになっている。
【００４１】
複数の電線貫通孔３５のそれぞれの内部には、複数の電線リップ３９が、電線貫通孔３５の径方向の内方に突出すると共に、電線貫通孔３５の周方向に円環状に延びて形成されている。この電線リップ３９が、大径電線１０Ａの外面、及び小径電線１０Ｂの外面と密着することにより、ゴム栓３４と、大径電線１０Ａ及び小径電線１０Ｂとが液密にシールされるようになっている。
【００４２】
シース外嵌部３７の内部には、複数のシースリップ４０が、シース外嵌部３７の径方向の内方に突出すると共に、シース外嵌部３７の周方向に円環状に延びて形成されている。このシースリップ４０が、シース３０の外面と密着することにより、ゴム栓３４と、シース３０とが液密にシールされるようになっている。
【００４３】
図６に示すように、第１電線カバー１５Ａと第２電線カバー１５Ｂとが一体に組み付けられた状態で、第１開口部２４Ａと第２開口部２４Ｂとにより、電線カバー１５には、後方に開口する開口部２４が形成されている。図８に示すように、開口部２４は、後方から見て長方形状をなしている。蓋部３３の形状は、開口部２４の形状に対応して設けられている。これにより、ハウジング２２が電線カバー１５内に配された状態で、ハウジング２２の蓋部３３は、電線カバー１５の開口部２４を塞ぐようになっている。
【００４４】
図６に示すように、開口部２４の開口縁部４４の外面には、開口部２４の上方の位置から後方に突出する第１フランジ４１Ａと、開口部２４の下方の位置から後方に突出する第２フランジと、が形成されている。蓋部３３を構成する第１当接リブ３２Ａは、上方から第１フランジ４１Ａに当接するようになっている。また、蓋部３３を構成する第２当接リブ３２Ｂは、下方から第２フランジに当接するようになっている。
【００４５】
第１カバーの第１開口部２４Ａの開口縁部４４には、ハウジング２２の円筒部３１と第１当接リブ３２Ａとの間に形成された隙間に対応する形状をなして、この隙間内に嵌入する第１嵌入部４２Ａを有する。第１嵌入部４２Ａのうち円筒部３１と対向する領域には、円筒部３１の外面に倣った形状をなす第１倣い面４３Ａ（倣い面の一例）が形成されている。第１倣い面４３Ａは、円弧面の一部をなしている。
【００４６】
第２カバーの第２開口部２４Ｂの開口縁部４４には、ハウジング２２の円筒部３１と第２当接リブ３２Ｂとの間に形成された隙間に対応する形状をなして、この隙間内に嵌入する第２嵌入部４２Ｂ（嵌入部の一例）を有する。第２嵌入部４２Ｂのうち円筒部３１と対向する領域には、円筒部３１の外面に倣った形状をなす第２倣い面４３Ｂ（倣い面の一例）が形成されている。第２倣い面４３Ｂは、円弧面の一部をなしている。
【００４７】
図６に示すように、蓋部３３の厚さ寸法Ｔ１とし、ハウジング２２の円筒部３１の厚さ寸法をＴ２とし、電線カバー１５の後壁の厚さ寸法をＴ３とした場合、Ｔ１、Ｔ２、及びＴ３は、下記の式（１）を満たすようになっている。
Ｔ２  ≦  Ｔ１  ＜  Ｔ２＋Ｔ３                    （１）
【００４８】
本実施形態の組み付け方法
続いて本実施形態の組み付け方法について説明する。本実施形態の組み付け方法は、以下の記載に限定されない。
【００４９】
シース３０の端部から、２本の大径電線１０Ａと、３本の小径電線１０Ｂと、を導出する。ゴム栓３４の電線貫通部３６に形成された電線貫通孔３５に、大径電線１０Ａ、及び小径電線１０Ｂを貫通させる。これにより、大径電線１０Ａ、及び小径電線１０Ｂと、ゴム栓３４とを液密にシールする。
【００５０】
ゴム栓３４のシース外嵌部３７をシース３０の端部に外嵌させる。これにより、シース３０とゴム栓３４とを液密にシールする。ゴム栓３４の外側にハウジング２２を外嵌させる。これにより、ゴム栓３４とハウジング２２とを液密にシールする。
【００５１】
大径電線１０Ａ及び小径電線１０Ｂの端部に端子を接続する。端子をコネクタ１２のキャビティ１３内に後方から収容する。コネクタ１２の後端部に第１電線カバー１５Ａを下方から装着する。３個の保持リブ１７の間に、２本の大径電線１０Ａを、それぞれ配する。ハウジング２２を挟持リブ２１と左側壁２３Ａとの間に配する。２本の小径電線１０Ｂを第１分岐部１８に配する。第１電線カバー１５Ａの上方から第２電線カバー１５Ｂを組み付ける。ロック突部１６にロック受け部２５を弾性的に係合させる。このとき、２個のリブ２６を３個の保持リブ１７の間にそれぞれ挿入する。これにより、２本の大径電線１０Ａを確実に保持する。
【００５２】
第１電線カバー１５Ａと第２電線カバーと１５Ｂが一体に組み付けられた状態で、蓋部３３によって開口部２４が塞がれた状態になる。これにより、本実施形態に係るコネクタ１２が完成する。
【００５３】
本実施形態の作用効果
続いて、本実施形態の作用効果について説明する。本実施形態に係る電線１０の保持構造１１は、電線１０と、電線１０が貫通された電線貫通孔３５を有するゴム栓３４と、ゴム栓３４に外嵌されたハウジング２２と、ハウジング２２を覆う電線カバー１５と、を備え、電線カバー１５は開口部２４を有し、ハウジング２２は開口部２４に対応する形状を有して開口部２４を塞ぐ蓋部３３を有する。
【００５４】
上記の構成によれば、ハウジング２２の蓋部３３が電線カバー１５の開口部２４を塞いている領域においては、ハウジング２２と電線カバー１５とが重なっていないので、電線１０の保持構造１１を全体として小型化することができる。
【００５５】
また、本実施形態によれば、蓋部３３の厚さ寸法Ｔ１は、ハウジング２２を構成する円筒部３１の厚さ寸法Ｔ２、及び電線カバー１５を構成する後壁の厚さ寸法Ｔ３に対して、下記の式（１）満たす。
Ｔ２  ≦  Ｔ１  ＜  Ｔ２＋Ｔ３                    （１）
【００５６】
上記の構成によれば、蓋部３３の厚さ寸法Ｔ１は、ハウジング２２を構成する円筒部３１の厚さ寸法Ｔ２と、電線カバー１５を構成する後壁の厚さ寸法Ｔ３との和よりも小さく設定されているので、電線１０の保持構造１１を確実に小型化することができる。
【００５７】
また、本実施形態によれば、電線カバー１５の開口部２４の開口縁部４４の外面には、外方に突出する第１フランジ４１Ａ及び第２フランジ４１Ｂが設けられており、ハウジング２２の蓋部３３には、第１フランジ４１Ａに向けて突出すると共に第１フランジ４１Ａに当接する第１当接リブ３２Ａと、第２フランジ４１Ｂに向けて突出すると共に第２フランジ４１Ｂに当接する第２当接リブ３２Ｂが設けられている。
【００５８】
蓋部３３の第１当接リブ３２Ａが第１電線カバー１５Ａの第１フランジ４１Ａに当接すると共に、蓋部３３の第２当接リブ３２Ｂが第２電線カバー１５Ｂの第２フランジ４１Ｂにことにより、電線カバー１５の開口部２４からカバー内に異物が侵入することを抑制することができる。
【００５９】
また、本実施形態によれば、電線カバー１５の開口部２４の開口縁部４４には、第１フランジ４１Ａ及び第２フランジ４１Ｂよりも内側の領域に、ハウジング２２の外面と、第１当接リブ３２Ａ及び第２当接リブ３２Ｂとの間に形成された空間に嵌入する第１嵌入部４２Ａ及び第２嵌入部４２Ｂが設けられている。
【００６０】
上記の構成によれば、第１当接リブ３２Ａと第１嵌入部４２Ａとの隙間、及び、第１嵌入部４２Ａとハウジング２２の外面との隙間によって、いわゆるラビリンス構造が形成される。同様に、第２当接リブ３２Ｂと第２嵌入部４２Ｂとの隙間、及び、第２嵌入部４２Ｂとハウジング２２の外面との隙間にもラビリンス構造が形成さえる。これにより、電線カバー１５内に異物が侵入することを更に抑制することができる。
【００６１】
また、本実施形態によれば、第１嵌入部４２Ａは、ハウジング２２の外面と対向する領域に、ハウジング２２の外面の形状に倣った第１倣い面４３Ａを有し、第２嵌入部４２Ｂは、ハウジング２２の外面と対向する領域に、ハウジング２２の外面の形状に倣った第２倣い面４３Ｂを有する。
【００６２】
上記の構成によれば、ハウジング２２の外面と、第１嵌入部４２Ａの第１倣い面４３Ａとの隙間を小さくすると共に、ハウジング２２の外面と、第２嵌入部４２Ｂの第２倣い面４３Ｂとの隙間を小さくすることができるので、ハウジング２２と、第１嵌入部４２Ａ及び第２嵌入部４２Ｂとの隙間から異物が侵入することを一層抑制することができる。
【００６３】
＜他の実施形態＞
本明細書に開示された技術は上記記述及び図面によって説明した実施形態に限定されるものではなく、例えば次のような実施形態も本明細書に開示された技術の技術的範囲に含まれる。
【００６４】
（１）本実施形態では７本の電線１０がコネクタ１２から導出される構成としたが、電線１０は、１本〜６本、又は７本以上であってもよい。
【００６５】
（２）本実施形態では、蓋部３３は第１当接リブ３２Ａと第２当接リブ３２Ｂとを有する構成としたが、これに限られず、第１当接リブ３２Ａ及び第２当接リブ３２Ｂの一方又は双方を省略してもよい。
【００６６】
（３）本実施形態では、第１電線カバー１５Ａは第１嵌入部４２Ａを有し、第２電線カバー１５Ｂは第２嵌入部４２Ｂを有する構成としたが、これに限られず、第１嵌入部４２Ａ及び第２嵌入部４２Ｂの双方又は一方は省略してもよい。
【００６７】
（４）本実施形態では、第１嵌入部４２Ａには第１倣い面４３Ａが形成され、第２嵌入部４２Ｂには第２倣い面４３Ｂが形成される構成としたが、これに限られず、第１倣い面４３Ａ及び第２倣い面４３Ｂの双方又は一方は省略してもよい。
【００６８】
（５）本実施形態は、コネクタ１２から導出された電線１０の保持構造１１であったが、これに限られず、任意の電気機器から導出される電線の保持構造としてもよい。
【００６９】
（６）本実施形態においては、２本の大径電線１０Ａ及び３本の小径電線１０Ｂには、シース３０が外嵌される構成としたが、シース３０は省略してもよい。
【００７０】
（７）本実施形態では、電線１０は、大径電線１０Ａと小径電線１０Ｂの二種類の電線１０を含む構成としたが、これに限られず、電線は、同一の直径を有する電線のみを含む構成としてもよく、また、三種類以上の直径を有する電線を含む構成としてもよい。
【符号の説明】
【００７１】
１０：電線
１０Ａ：大径電線
１０Ｂ：小径電線
１１：電線の保持構造
１５：電線カバー
１５Ａ：第１電線カバー
１５Ｂ：第２電線カバー
２２：ハウジング
２４：開口部
２４Ａ：第１開口部
２４Ｂ：第２開口部
３２Ａ：第１リブ
３２Ｂ：第２リブ
３３：蓋部
３４：ゴム栓
３５：電線貫通孔
４１Ａ：第１フランジ
４１Ｂ：第２フランジ
４２Ａ：第１嵌入部
４２Ｂ：第２嵌入部
４３Ａ：第１倣い面
４３Ｂ：第２倣い面
４４：開口縁部
４４Ａ：第１開口縁部
４４Ｂ：第２開口縁部
【図１】
2019161932.tif 000003
【図２】
2019161932.tif 000004
【図３】
2019161932.tif 000005
【図４】
2019161932.tif 000006
【図５】
2019161932.tif 000007
【図６】
2019161932.tif 000008
【図７】
2019161932.tif 000009
【図８】
2019161932.tif 000010
【手続補正書】
【提出日】平成30年12月4日(2018.12.4)
【手続補正１】
【補正対象書類名】特許請求の範囲
【補正対象項目名】全文
【補正方法】変更
【補正の内容】
【特許請求の範囲】
【請求項１】
電線と、
電線が貫通された電線貫通孔を有するゴム栓と、
前記ゴム栓に外嵌されたハウジングと、
前記ハウジングに取り付けられて前記電線を覆う電線カバーと、を備え、
前記電線カバーは開口部を有し、前記ハウジングは前記開口部に対応する形状を有して前記開口部を塞ぐ蓋部を有する、電線の保持構造。
【請求項２】
前記蓋部の厚さ寸法Ｔ１は、前記ハウジングを構成する壁部の厚さ寸法Ｔ２、及び前記電線カバーを構成する壁部の厚さ寸法Ｔ３に対して、下記の式（１）を満たす、請求項１に記載の電線の保持構造。
Ｔ２  ≦  Ｔ１  ＜  Ｔ２＋Ｔ３                    （１）
【請求項３】
前記電線カバーの前記開口部の開口縁部には、外方に突出するフランジが設けられており、
前記ハウジングの前記蓋部には、前記フランジに向けて突出すると共に前記フランジに当接する当接リブが設けられている、請求項１または請求項２に記載の電線の保持構造。
【請求項４】
前記電線カバーの前記開口部の前記開口縁部には、前記フランジよりも内側の領域に、前記ハウジングの外面と前記当接リブとの間に形成された空間に嵌入する嵌入部が設けられている、請求項３に記載の電線の保持構造。
【請求項５】
前記嵌入部は、前記ハウジングの外面と対向する領域に、前記ハウジングの外面の形状に倣った倣い面を有する、請求項４に記載の電線の保持構造。
【手続補正２】
【補正対象書類名】明細書
【補正対象項目名】０００９
【補正方法】変更
【補正の内容】
【０００９】
前記蓋部の厚さ寸法Ｔ１は、前記ハウジングを構成する壁部の厚さ寸法Ｔ２、及び前記電線カバーを構成する壁部の厚さ寸法Ｔ３に対して、下記の式（１）を満たすことが好ましい。
Ｔ２  ≦  Ｔ１  ＜  Ｔ２＋Ｔ３                    （１）
【手続補正３】
【補正対象書類名】明細書
【補正対象項目名】００１０
【補正方法】変更
【補正の内容】
【００１０】
上記の構成によれば、蓋部の厚さ寸法Ｔ１は、ハウジングを構成する壁部の厚さ寸法Ｔ２と、電線カバーを構成する壁部の厚さ寸法Ｔ３との和よりも小さく設定されているので、電線の保持構造を確実に小型化することができる。
【手続補正４】
【補正対象書類名】明細書
【補正対象項目名】００１１
【補正方法】変更
【補正の内容】
【００１１】
前記電線カバーの前記開口部の開口縁部には、外方に突出するフランジが設けられており、前記ハウジングの前記蓋部には、前記フランジに向けて突出すると共に前記フランジに当接する当接リブが設けられていることが好ましい。
【手続補正５】
【補正対象書類名】明細書
【補正対象項目名】００１２
【補正方法】変更
【補正の内容】
【００１２】
蓋部の当接リブが電線カバーのフランジに当接することにより、電線カバーの開口部から電線カバー内に異物が侵入することを抑制することができる。
【手続補正６】
【補正対象書類名】明細書
【補正対象項目名】００１３
【補正方法】変更
【補正の内容】
【００１３】
前記電線カバーの前記開口部の前記開口縁部には、前記フランジよりも内側の領域に、前記ハウジングの外面と前記当接リブとの間に形成された空間に嵌入する嵌入部が設けられていることが好ましい。
【手続補正７】
【補正対象書類名】明細書
【補正対象項目名】００１４
【補正方法】変更
【補正の内容】
【００１４】
上記の構成によれば、当接リブと嵌入部との隙間、及び、嵌入部とハウジングの外面との隙間によって、いわゆるラビリンス構造が形成される。これにより、電線カバー内に異物が侵入することを更に抑制することができる。
【手続補正８】
【補正対象書類名】明細書
【補正対象項目名】００２７
【補正方法】変更
【補正の内容】
【００２７】
第１分岐部１８の側壁のうち左端部に位置する左側壁２３Ａは、左右方向について厚肉に形成されている。左側壁２３Ａの上面のうち後側には、２本の大径電線１０Ａ、及び３本の小径電線１０Ｂが導出される幹線導出凹部１９Ａが下方に凹んで形成されている。左側壁２３Ａの上面のうち前側には、２本の小径電線１０Ｂが導出される支線導出凹部２０Ａが下方に凹んで形成されている。
【手続補正９】
【補正対象書類名】明細書
【補正対象項目名】００３４
【補正方法】変更
【補正の内容】
【００３４】
第２分岐部２７の側壁のうち左端部に位置する左側壁２３Ｂは、左右方向について厚肉に形成されている。左側壁２３Ｂの下面のうち後側には、２本の大径電線１０Ａ、及び３本の小径電線１０Ｂが導出される幹線導出凹部１９Ｂが上方に凹んで形成されている。左側壁２３Ｂの下面のうち前側には、２本の小径電線１０Ｂが導出される支線導出凹部２０Ｂが上方に凹んで形成されている。
【手続補正１０】
【補正対象書類名】明細書
【補正対象項目名】００３６
【補正方法】変更
【補正の内容】
【００３６】
また、第１電線カバー１５Ａと、第２電線カバー１５Ｂとが一体に組み付けられた状態で、第１電線カバー１５Ａの幹線導出凹部１９Ａと、第２電線カバー１５Ｂの幹線導出凹部１９Ｂとにより、幹線導出口２９が形成され、この幹線導出口２９から、２本の大径電線１０Ａと３本の小径電線１０Ｂとが、合成樹脂製のシース３０に覆われた状態で導出されている。
【手続補正１１】
【補正対象書類名】明細書
【補正対象項目名】００４４
【補正方法】変更
【補正の内容】
【００４４】
図６に示すように、開口部２４の開口縁部４４の外面には、開口部２４の下方の位置から後方に突出する第１フランジ４１Ａと、開口部２４の上方の位置から後方に突出する第２フランジと、が形成されている。蓋部３３を構成する第１当接リブ３２Ａは、上方から第１フランジ４１Ａに当接するようになっている。また、蓋部３３を構成する第２当接リブ３２Ｂは、下方から第２フランジに当接するようになっている。
【手続補正１２】
【補正対象書類名】明細書
【補正対象項目名】００４５
【補正方法】変更
【補正の内容】
【００４５】
第１電線カバー１５Ａの第１開口部２４Ａの開口縁部４４には、ハウジング２２の円筒部３１と第１当接リブ３２Ａとの間に形成された隙間に対応する形状をなして、この隙間内に嵌入する第１嵌入部４２Ａを有する。第１嵌入部４２Ａのうち円筒部３１と対向する領域には、円筒部３１の外面に倣った形状をなす第１倣い面４３Ａ（倣い面の一例）が形成されている。第１倣い面４３Ａは、円弧面の一部をなしている。
【手続補正１３】
【補正対象書類名】明細書
【補正対象項目名】００４６
【補正方法】変更
【補正の内容】
【００４６】
第２電線カバー１５Ｂの第２開口部２４Ｂの開口縁部４４には、ハウジング２２の円筒部３１と第２当接リブ３２Ｂとの間に形成された隙間に対応する形状をなして、この隙間内に嵌入する第２嵌入部４２Ｂ（嵌入部の一例）を有する。第２嵌入部４２Ｂのうち円筒部３１と対向する領域には、円筒部３１の外面に倣った形状をなす第２倣い面４３Ｂ（倣い面の一例）が形成されている。第２倣い面４３Ｂは、円弧面の一部をなしている。
【手続補正１４】
【補正対象書類名】明細書
【補正対象項目名】００５８
【補正方法】変更
【補正の内容】
【００５８】
蓋部３３の第１当接リブ３２Ａが第１電線カバー１５Ａの第１フランジ４１Ａに当接すると共に、蓋部３３の第２当接リブ３２Ｂが第２電線カバー１５Ｂの第２フランジ４１Ｂにことにより、電線カバー１５の開口部２４から電線カバー１５内に異物が侵入することを抑制することができる。
【手続補正１５】
【補正対象書類名】明細書
【補正対象項目名】００７１
【補正方法】変更
【補正の内容】
【００７１】
１０：電線
１０Ａ：大径電線
１０Ｂ：小径電線
１１：電線の保持構造
１５：電線カバー
１５Ａ：第１電線カバー
１５Ｂ：第２電線カバー
２２：ハウジング
２４：開口部
２４Ａ：第１開口部
２４Ｂ：第２開口部
３２Ａ：第１当接リブ
３２Ｂ：第２当接リブ
３３：蓋部
３４：ゴム栓
３５：電線貫通孔
４１Ａ：第１フランジ
４１Ｂ：第２フランジ
４２Ａ：第１嵌入部
４２Ｂ：第２嵌入部
４３Ａ：第１倣い面
４３Ｂ：第２倣い面
４４：開口縁部
４４Ａ：第１開口縁部
４４Ｂ：第２開口縁部